(57)【特許請求の範囲】
【請求項１】
被検体にＸ線を照射するＸ線管と、
前記被検体を透過した前記Ｘ線を検出する第一の検出器と、
前記被検体を透過した前記Ｘ線を検出し、前記第一の検出器とは曲率の異なる第二の検出器と、
前記Ｘ線管を前記第一の検出器に対応するＸ線管の焦点位置と前記第二の検出器に対応するＸ線管の焦点位置との間を移動させる駆動手段と、
を備えることを特徴とするＸ線ＣＴ装置。
【請求項２】
前記第一の検出器と前記第二の検出器とを切り替える切替信号を入力する操作部を更に備え、
前記Ｘ線管は、前記駆動手段により、前記操作部からの前記切替信号に基づき、前記第一の検出器に対応するＸ線管の焦点位置と前記第二の検出器に対応するＸ線管の焦点位置との間を移動可能に構成されていることを特徴とする請求項１記載のＸ線ＣＴ装置。
【請求項３】
前記第一の検出器及び前記第二の検出器は、複数の検出素子を備え、かつ、前記複数の検出素子ごとにコリメータ板を備えていることを特徴とする請求項１又は請求項２に記載のＸ線ＣＴ装置。
【請求項４】
前記駆動手段は、
前記Ｘ線管を収納するＸ線管収納部と、
前記Ｘ線管収納部を内包する可動筐体部と、
前記可動筐体部の内側側壁部に設けられたボールネジと、
前記ボールネジの端部に接続された動力部と、
前記ボールネジに設置され、前記動力部からの動力を前記Ｘ線管収納部に伝えるボールナットと、
前記Ｘ線管収納部の外側側面に設けられた支持部と、
前記支持部により支持され、前記ボールナットの駆動に対応してスライドするスライド部と、
を備えることを特徴とする請求項１乃至請求項３に記載のＸ線ＣＴ装置。
【請求項５】
前記ボールナット、前記スライド部、及び前記支持部は、前記第一の検出器に対応する前記Ｘ線管の焦点位置と、前記第二の検出器に対応する前記Ｘ線管の焦点位置との間を、直線で結ぶ方向に沿うように設置されていることを特徴とする請求項４に記載のＸ線ＣＴ装置。
【請求項６】
さらに、前記操作部からの前記切替信号に対応し、前記第一の検出器又は前記第二の検出器から出力された信号に、電流／電圧変換及びＡ／Ｄ変換処理を行なうデータ収集ユニットを備えることを特徴とする請求項２に記載のＸ線ＣＴ装置。
【請求項７】
被検体にＸ線を照射するＸ線管と、
前記被検体を透過した前記Ｘ線を検出する第一の検出器と、
前記被検体を透過した前記Ｘ線を検出し、前記第一の検出器とは曲率の異なる第二の検出器と、
前記Ｘ線管に設けられた第一の駆動手段と、
前記第一の検出器及び第二の検出器に設けられた第二の駆動手段と、
を備え、
前記Ｘ線管は、前記第一の駆動手段により、また、前記第一の検出器及び前記第二の検出器は、前記第二の駆動手段により、前記第一の検出器に対応するＸ線管の焦点位置と前記第二の検出器に対応するＸ線管の焦点位置に対応するように移動可能に構成されていることを特徴とするＸ線ＣＴ装置。
【請求項８】
前記第一の検出器と前記第二の検出器とを切り替える切替信号を入力する操作部を更に備え、
前記Ｘ線管は、前記第一の駆動手段により、また、前記第一の検出器及び前記第二の検出器は、前記第二の駆動手段により、前記操作部からの前記切替信号に基づき、前記第一の検出器に対応するＸ線管の焦点位置と前記第二の検出器に対応するＸ線管の焦点位置に対応するように移動可能に構成されていることを特徴とする請求項７記載のＸ線ＣＴ装置。
【発明の詳細な説明】
【技術分野】
【０００１】
本発明の実施形態は、光学的な拡大率が変更可能なX線CT装置に関する。
【背景技術】
【０００２】
X線CT装置は、コンピュータ技術の発展に伴い実用化され、今日の医療において必要不
可欠なものとなっている。
【０００３】
特に近年のX線CT装置では、演算処理ユニットの高速化及び高性能化に伴って複数スラ
イス断面における投影データの収集と表示が容易となっている。
【０００４】
この投影データを診断時に利用するためには、観察する医師等が確認できるように、モ
ニタなどの表示部に表示することが必要となるが、この際、診断対象となる注目部位の状
況を詳細に把握するために、モニタ上でCT画像の拡大率を変更する方法が有用である。
【０００５】
ところで、非破壊検査用CTなどの、X線管とX線検出器を固定し、撮影対象物を回転させ
ながらX線を照射する方式のX線CT装置においては、対象物を搭載したテーブルの位置をX
線管に近づけることによって拡大率を上げることが可能である。
【０００６】
また、歯科用X線CT装置などの、X線管とX線検出器のみを被検体の回りに回転させる方
式のX線CT装置においては、X線管とX線検出器の距離を一定に保ちながら、回転中心を変
更することで、拡大率を変更することも可能である（例えば、特許文献１参照）。
【先行技術文献】
【特許文献】
【０００７】
【特許文献１】特開２００７−２９１６８号公報
【発明の概要】
【発明が解決しようとする課題】
【０００８】
しかし、人を対象とする医療用X線CT装置においては、非破壊検査用CTとは異なり、対
象物である被検体P及びX線検出器との距離、すなわち焦点距離が予め決められているのが
一般的であり、仮に被検体PをX線管に近づけたとしても、一様に拡大率を上げることはで
きない。
【０００９】
また、医療用のX線CT装置は、回転フレームにX線管、X線検出器だけでなく、X線照射に
必要となる高電圧発生器や各種制御装置を搭載しているため総重量が大きく、加えて、回
転フレームは、被検体Pの臓器の動きによる撮影への影響を抑えるため、撮影の際、高速
での回転（例えば、１回転を０．５秒以上）を要求される。
【００１０】
そのため、歯科用X線CT装置のように回転中心を可変にすると、回転フレームのバラン
スが崩れ、不要な振動を生じることとなり、安定した投影データの取得が困難となるため
、当該方法による拡大率の変更も難しい。
【課題を解決するための手段】
【００１１】
上記問題を解決するために、本実施の形態は、被検体にＸ線を照射するＸ線管と、前記被検体を透過した前記Ｘ線を検出する第一の検出器と、前記被検体を透過した前記Ｘ線を検出し、前記第一の検出器とは曲率の異なる第二の検出器と、前記Ｘ線管を前記第一の検出器に対応するＸ線管の焦点位置と前記第二の検出器に対応するＸ線管の焦点位置との間を移動させる駆動手段と、を備えることを特徴とする。
また、上記問題を解決するために、本実施の形態は、被検体にＸ線を照射するＸ線管と、前記被検体を透過した前記Ｘ線を検出する第一の検出器と、前記被検体を透過した前記Ｘ線を検出し、前記第一の検出器とは曲率の異なる第二の検出器と、前記Ｘ線管に設けられた第一の駆動手段と、前記第一の検出器及び第二の検出器に設けられた第二の駆動手段と、を備え、前記Ｘ線管は、前記第一の駆動手段により、また、前記第一の検出器及び前記第二の検出器は、前記第二の駆動手段により、前記第一の検出器に対応するＸ線管の焦点位置と前記第二の検出器に対応するＸ線管の焦点位置に対応するように移動可能に構成されていることを特徴とする。
【図面の簡単な説明】
【００１２】
【図１】実施の形態に係るX線CT装置の構成を示すブロック図。
【図２】実施の形態に係る第一の検出器及び第二の検出器を説明する図。
【図３】実施の形態に係る可動筐体部の構造を示す斜視図。
【図４】図３に示す可動筐体部を構成するX線収納部の周辺を示す左側面図。
【図５】実施の形態に係る第一の検出器及び第二の検出器とX線管の焦点との関係を説明する図。
【図６】実施の形態に係るX線管の焦点の移動方向について説明する図。
【図７】変形例に係る第一の検出器及び第二の検出器とX線管の焦点との関係を説明する図。
【図８】変形例に係る実施の形態に係るX線管の焦点の移動方向について説明する図。
【発明を実施するための形態】
【００１３】
以下、本発明の実施の形態につき、図面を参照して説明する。
【００１４】
なお、以下の説明においては、ほぼ同一な機能及び構成を有する構成要素については、
同一符号を付し、重複説明は必要な場合にのみ行う。
【００１５】
図１は、実施の形態に係るX線CT装置の構成を示すブロック図である。
【００１６】
このX線CT装置１００は、寝台１１０と、Ｘ線を発生させ被検体PにX線を照射するX線発
生部１２０と、被検体Pを透過したＸ線の検出により投影データを生成する投影データ生
成部１３０と、これらX線発生部１２０及び投影データ生成部１３０を備える架台１４０
と、架台１４０の投影データ生成部１３０により生成された投影データから画像データを
生成する画像データ生成部１５０と、を備えている。
【００１７】
また、X線CT装置１００は、画像データ生成部１５０で生成された画像データを表示す
る表示部１６０を備えている。
【００１８】
さらに、X線CT装置１００は、種々のコマンドの入力等を行なう操作部１７０と、寝台
１１０、架台１４０、画像データ生成部１５０を統括して制御するシステム制御部１８０
とを備えている。
【００１９】
寝台１１０は、被検体Pが載置される天板１１１と、天板１１１を長手方向及び上下方
向へ駆動する天板駆動部とを備えている。
【００２０】
天板駆動部は、X線照射の際に、被検体Pが載置された天板１１１をX線照射位置へ移動
する。
【００２１】
X線発生部１２０は、Ｘ線を発生させるX線管１２１と、システム制御部１８０から供給
されるＸ線照射条件に基づいて電圧を発生させ、Ｘ線管１２１へ電力を供給する高電圧発
生器１２２とを備えている。
【００２２】
X線管１２１は、Ｘ線を発生する真空管であり、高電圧発生器１２２から供給される高
電圧によって発生した電子をターゲットに衝突させてＸ線を放射する。
【００２３】
そして、X線管１２１は、撮影では被検体Pの周りを回転しながら被検体Pに対しＸ線を
照射する。
【００２４】
また、X線管１２１は、詳細を後述する可動筐体部２００に内包され、操作者による操
作部１７０からの入力信号に従い、所定の方向に移動することができるように構成されて
いる。
【００２５】
X線検出器１３１は、複数個のＸ線検出素子を備え、このＸ線検出素子の各々は、Ｘ線
を光に変換するシンチレータと光を電気信号に変換するフォトダイオードによって構成さ
れている。
【００２６】
また、X線検出器１３１は、X線検出素子ごとに複数のコリメータ板を備えている。
【００２７】
複数のコリメータ板は、モリブデン等のX線吸収率の高い材料から形成され、所定の間
隔をおいて配置される。
【００２８】
当該コリメータ板により、スライス方向に散乱したX線を複数のコリメータ板の間隔ご
とにX線管１２１から照射され被検体Pを透過したX線をコリメートすることができる。
【００２９】
投影データ生成部１３０は、被検体Pを透過したＸ線を検出するX線検出器１３１と、X
線検出器１３１から出力された複数チャンネルの検出信号に対してＡ／Ｄ変換等を行なう
データ収集ユニット１３２（以下、ＤＡＳ(Data Acquisition System)ユニット１３２と
呼ぶ。）と、DASユニット１３２の出力信号に対して、例えばパラレル／シリアル変換、
電気／光／電気変換及びシリアル／パラレル変換を行なうデータ伝送部とを備えている。
【００３０】
X線検出器１３１は、X線管１２１に対向して配置され、X線管１２１の焦点を中心とし
た曲面形状に形成されている。
【００３１】
また、複数のＸ線検出素子は、X線管１２１の焦点を中心とした曲面に対応するように
配置されている。
【００３２】
なお、X線検出器１３１を曲面形状とすることにより、コリメータ板により所定の間隔
ごとに遮蔽されるX線量を減らし、X線の検出効率を上げることができる。
【００３３】
次に、X線CT装置１００に備えられた互いに曲率の異なる第一の検出器１３１a、及び第
二の検出器１３１bについて説明する。
【００３４】
図２は、実施の形態に係る第一の検出器１３１a及び第二の検出器１３１bを説明する図
である。
【００３５】
一般的に、X線検出器及びX線検出器コリメータは、検出効率を上げるため、X線管１２
１の焦点を中心とした曲面形状となるように形成されている。
【００３６】
ここで、X線管１２１の焦点位置から架台１４０の回転中心位置までの距離をA、架台１
４０の回転中心位置からX線検出器表面までの距離をBとすると、検出器面の曲率Rは、R＝
A＋Bと定義でき、拡大率は、B／Aと定義できる。
【００３７】
また、第一の検出器１３１aに対応する距離AをA１、第一の検出器１３１aに対応する距
離BをB１とし、第二の検出器１３１bに対応する距離AをA２、第二の検出器１３１bに対応
する距離BをB２とする。
【００３８】
本実施の形態において、例えば、第一の検出器１３１aのX線管焦点位置から架台１４０
の回転中心位置までの距離は、第二の検出器１３１bのX線管焦点位置から架台１４０の回
転中心までの距離よりも短くなるように設計されている。
【００３９】
すなわち、A１＜A２の関係にある。
【００４０】
第一の検出器１３１aの架台１４０の回転中心位置から検出器表面までの距離は、第二
の検出器１３１bの架台１４０の回転中心位置からX線検出器表面までの距離よりも長く、
または等しくなるように設計されている。
【００４１】
すなわち、B１≧B２の関係にある。
【００４２】
従って、第一の検出器１３１aのX線管焦点位置からX線検出器表面までの距離は、第二
の検出器１３１bのX線管焦点位置からX線検出器表面までの距離よりも短くなり、すなわ
ち、（A１＋B１）＜（A２＋B２）の関係となる。
【００４３】
このようにX線管１２１及びX線検出器１３１を配置した場合、第一の検出器１３１aの
拡大率（B１／A１）は第二の検出器１３１bの拡大率（B２／A２）よりも大きくなる。
【００４４】
その一方で、X線検出器１３１のチャネル方向の検出素子を同数とした場合は、第一の
検出器１３１aのX線管焦点位置からX線検出器表面までの距離（A１＋B１）は、第二の検
出器１３１bの当該距離（A２＋B２）よりも小さくなるため、撮影範囲（以下、FOVという
）は小さくなる。
【００４５】
すなわち、第一の検出器１３１aは、拡大率に関しては大きくなるが、FOVは小さくなる
という特徴を持ち、第二の検出器１３１bは、拡大率に関しては小さくなるが、FOVは大き
くなるという特徴を持つ。
【００４６】
次に、DASユニット１３２は、アナログ／デジタル変換回路等を有する電子回路基板を
備え、X線検出器１３１の外周に配置されている。
【００４７】
そして、X線検出器１３１から出力される信号をデジタル信号に変換し、その変換した
デジタル信号を回転フレーム１４２の所定の角度回転毎に収集してビュー単位の投影デー
タを生成する。
【００４８】
なお、DASユニット１３２は第一の検出器１３１a及び第二の検出器１３１bごとにそれ
ぞれ設けてもよく、または、共通のDASユニット１３２を、操作部１７０からの第一の検
出器１３１a及び第二の検出器１３１bの切替信号に対応させ、切り替えてもよい。
【００４９】
データ伝送部は、例えば光通信手段により送受信するための送信部及び受信部を有し、
送信部が回転フレーム１４２に配置され、受信部が支持台１４４に配置されている。
【００５０】
そして、送信部が、DASユニット１３２からのＸ線投影データを受信部に伝送し、受信
部が、送信部から伝送された投影データを画像データ生成部１５０に出力する。
【００５１】
架台１４０は、寝台１１０の近傍に配置され、寝台１１０の天板１１１移動により被検
体Pが送り込まれる円筒状の開口部１４１と、X線発生部１２０及び投影データ生成部１３
０と、X線管１２１、高電圧発生器１２２、X線検出器１３１、DASユニット１３２、及び
データ伝送部の送信部を支持する回転フレーム１４２と、回転フレーム１４２を回転駆動
する回転駆動部１４３と、回転フレーム１４２を回転可能に支持する支持台１４４とを備
えている。
【００５２】
画像データ生成部１５０は、架台１４０のデータ伝送部から出力される投影データを保
存する記憶部１５１と、当該記憶部１５１に保存された複数ビューの投影データに基づい
て画像データを生成する再構成部１５２とを備える。
【００５３】
また、画像データ生成部１５０は、生成した画像データを表示部１６０に出力する。
【００５４】
表示部１６０は、ＣＲＴや液晶パネル等を備え、画像データ生成部１５０からシステム
制御部１８０を介して出力された画像データを表示する。
【００５５】
また、表示部１６０は、操作部１７０からの入力により画像データ上に設定された関心
領域を表示する。
【００５６】
操作部１７０は、キーボード、トラックボール、ジョイスティック、マウスなどの入力
デバイスや表示パネル、さらには各種スイッチなどを備えたインターラクティブなインタ
ーフェースであり、撮影条件の設定、被検体Pの識別ＩＤなどの被検体情報の入力を行う
。
【００５７】
また、操作部１７０は、後述する第一の検出器１３１a及び第二の検出器１３１bの切替
入力も行う。
【００５８】
システム制御部１８０は、ＣＰＵと記憶回路を備え、操作部１７０からの入力情報を一
旦記憶した後、これらの入力情報に基づいて、投影データの生成、画像データの生成と表
示等に関する制御などシステム全体の制御を行う。
【００５９】
次に、X線管１２１を内包し、X線管１２１を所定の方向に駆動可能に設置する可動筐体
部２００について説明する。
【００６０】
図３は、実施の形態に係る可動筐体部２００の構造を示す斜視図であり、図４は、図３に示す可動筐体部２００を構成するＸ線管収納部２０１の周辺を示す左側面図である。
【００６１】
可動筐体部２００は、Ｘ線管１２１を収納するＸ線管収納部２０１と、Ｘ線管収納部２０１をα方向に駆動させるボールナット２０２及びボールネジ２０３と、α方向に設けられ、駆動を補助するＬＭガイド２０４と、Ｘ線管収納部２０１に形成され、ＬＭガイド２０４を支持するＬＭガイド支持部２０５と、ＬＭガイド２０４の端部が固定される筐体側壁部２０６と、を備える。
【００６２】
X線管収納部２０１は、X線管１２１を収納し、X線管収納部２０１の外周側面部には、
ボールナット２０２及びLMガイド支持部２０５が設置されている。
【００６３】
ボールネジ２０３は、端部に図示しない動力部、例えば駆動モータを備えている。
【００６４】
そして、駆動モータは、ボールネジ２０３を回転させ、ボールネジ２０３に噛合わされ
たボールナット２０２、及びX線管収納部２０１をα方向へ移動させる。
【００６５】
LMガイド２０４は、X線管収納部２０１に形成されたLMガイド支持部２０５上をスライ
ドし、ボールナット２０２によるX線管収納部２０１の移動方向を規制する。
【００６６】
なお、ボールナット２０２、ボールネジ２０３、及びLMガイド支持部２０５は、X線管
収納部２０１の両側面にそれぞれ設けてもよく、または、片側一方の面にのみ設けてもよ
い。
【００６７】
また、ボールネジ２０３をX線管収納部２０１の両側に設ける場合は、駆動モータをそ
れぞれに設けてもよく、または、片側一方のボールネジ２０３にのみ設けてもよい。
【００６８】
さらに、かかるX線管収納部２０１を駆動する駆動部は、駆動モータの動力を用いたボ
ールネジ２０３によるものに限らず、例えば、ローラによるベルト駆動を用いるもの、も
しくは、回転力を直線の動きに変換するラック＆ピニオンを用いるものであってもよい。
【００６９】
その他、ボールナット２０２及びLMガイド支持部２０５は、X線管収納部２０１ではな
く、X線管１２１に直接設置してもよい。
【００７０】
次に、第一の検出器１３１a及び第二の検出器１３１bを被検体Pの体軸方向に並べて設
置した場合の、X線管１２１の焦点距離について説明する。
【００７１】
図５は、実施の形態に係る第一の検出器１３１a及び第二の検出器１３１bとX線管１２
１の焦点との関係を説明する図である。
【００７２】
第二の検出器１３１bは、第一の検出器１３１aと比較しX線検出器表面から焦点位置ま
での距離が長くなる。
【００７３】
そのため、第一の検出器１３１aの焦点位置に対応しているX線管１２１を、第二の検出
器１３１bの焦点位置に対応させるためには、X線管１２１を、体軸方向（Z方向）及び上
方（Y方向）に移動させる必要がある。
【００７４】
図６は、実施の形態に係るX線管１２１の焦点の移動方向について説明する図である。
【００７５】
本実施の形態において、第一の検出器１３１aの焦点位置及び第二の検出器１３１bの焦
点位置間のX線管１２１の移動は、上記可動筐体部２００内でのX線管収納部２０１の移動
により実現する。
【００７６】
具体的には、ボールネジ２０３及びLMガイド２０４等を、第一の検出器１３１aの焦点
位置と第二の検出器１３１bの焦点位置とを直線上に一軸で結ぶ方向（α方向）に沿うよ
うに設置し、第一の検出器１３１aの焦点位置と第二の検出器１３１bの焦点位置間の一軸
での移動を可能にする。
【００７７】
加えて、X線管収納部２０１は、X線管収納部２０１に設置されたLM支持部２０５及びLM
ガイド２０４により両側面から支持されるため、X線検出器１３１に対応する角度を保っ
たまま、左右に傾くことなく移動することができる。
【００７８】
なお、第一の検出器１３１a及び第二の検出器１３１bの切替は、操作者による操作部１
７０からの入力により、行う。
【００７９】
本実施の形態の構成により、当該互いに曲率の異なる第一の検出器１３１a及び第二の
検出器１３１bを切り替え、光学的拡大率及びFOVの変更が可能なX線CT装置１００を得る
ことができる。
【００８０】
光学的拡大率の切替が可能になることにより、例えば肺視野の撮影など診断時に高い拡
大率が求められる部位の画像が求められる場合には、拡大率の高い第一の検出器１３１a
に切り替え撮影することで、より詳細なX線CT画像を得ることができる。
【００８１】
また、病変と思われる部位の位置が正確に特定できない場合には、一度、FOVの広い第
二の検出器１３１bで撮影を行い、CT画像から病変と思われる部位を探し出し、その後、
拡大率の高い第一の検出器１３１aを用い、より詳細に病変を撮影することも可能となる
。
【００８２】
本実施の形態の構成によれば、X線検出器１３１の切替によって、ユーザの用途に応じ
た倍率、FOVなどの撮影条件の切替をX線CT装置１００一台のみで実現することが可能であ
る。
【００８３】
これにより、異なる倍率等のX線CT装置１００を二台設置し、撮影を行う場合と比較し
、設置スペースを少なくし、かつ、設備導入のコストを抑えることができる。
【００８４】
さらに、異なる撮影条件におけるX線CT画像間に関連がある場合、例えば、一度広範囲
を撮影し、その後、詳細な画像を撮影する場合には、拡大率の異なる二台のX線CT装置１
００によって撮影を行う場合と比較し、画像精度を向上させることができる。
【００８５】
具体的には、異なる装置で撮影を行う場合、装置ごとに被検体Pの移動を伴うが、一台
の装置にて撮影をすることにより、移動させる際の体の位置ずれを抑えることができ、か
つ、CT撮影の時間間隔を短くできる点が、より有効である。
【００８６】
特に、撮影部位が被検体P内部の臓器である場合は、被検体Pの移動により外形には表れ
ない臓器の位置ずれが起こるため、かかる要因による画像精度の低下を防ぐことができる
点で、有効である。
【００８７】
また、X線検出器を切り替えることなくX線管の移動による焦点位置の調整によってのみ
拡大率等を変更する構成と比較すると、本実施の形態は、X線検出器１３１の検出効率を
低下させない、すなわち、コリメータ板により遮蔽され画像の再構成に寄与しないX線に
よる被検体Pへの不要な被爆を抑えることができる。
【００８８】
（変形例）
上記実施の形態では、可動筐体部２００に内包されたX線管１２１のα方向への移動に
より、第一の焦点及び第二の焦点への対応を可能としているが、本変形例は、X線管１２
１のY方向への移動、及び第一の検出器１３１a及び第二の検出器１３１bのZ方向への移動
により、当該焦点間の変更を可能とするものである。
【００８９】
図７は、変形例に係る第一の検出器１３１a及び第二の検出器１３１bとX線管１２１の
焦点との関係を説明する図であり、図８は、変形例に係る実施の形態に係るX線管１２１
の焦点の移動方向について説明する図である。
【００９０】
本変形例では、可動筐体部２００内のX線管収納部２０１側面に設けられたボールネジ
２０３、LMガイド２０４、LMガイド支持部２０５は、Y方向に沿うように形成されている
。
【００９１】
また、第一の検出器１３１a及び第二の検出器１３１bには、駆動手段、例えば可動筐体
部２００と同様にボールネジ２０３等がZ方向に沿うように形成されている。
【００９２】
かかる構成により、X線管１２１のY方向への移動、及び第一の検出器１３１a及び第二
の検出器１３１bのZ方向への移動を実現し、同様に、X線検出器１３１の切替によるユー
ザの用途に応じた倍率、FOVなどの撮影条件の切り替えをX線CT装置１００一台のみで実現
することが可能である。
【００９３】
なお、第一の検出器１３１a、第二の検出器１３１b、及び可動筐体部２００の移動方向
とは逆方向にバランスウェイト等を設け、それぞれのユニットの移動と連動して動くよう
に構成されてもよい。
【００９４】
かかる構成により、回転フレーム１４２の回転バランスを保つことができる。
【００９５】
本実施の形態は、例として提示したものであり、発明の範囲を限定することを意図して
いない。本実施の形態は、その他の様々な形態で実施されることが可能であり、発明の要
旨を逸脱しない範囲で、種々の省略、置き換え、変更を行うことができる。これら実施形
態やその変形は、発明の範囲や要旨に含まれると共に、特許請求の範囲に記載された発明
とその均等の範囲に含まれる。
【符号の説明】
【００９６】
１００…X線CT装置
１１０…寝台
１２０…X線発生部
１３０…投影データ生成部
１３１…X線検出器
１４０…架台
１５０…画像データ生成部
１６０…表示部
１７０…操作部
１８０…システム制御部
２００…可動筐体部
２０１…X線管収納部
２０２…ボールナット
２０３…ボールネジ
２０４…LMガイド
２０５…LMガイド支持部
２０６…筐体側壁部
【図１】
0005758187.tif 000002
【図２】
0005758187.tif 000003
【図３】
0005758187.tif 000004
【図４】
0005758187.tif 000005
【図５】
0005758187.tif 000006
【図６】
0005758187.tif 000007
【図７】
0005758187.tif 000008
【図８】
0005758187.tif 000009